(57)【要約】【課題】防水シートと屋根ふき材を有する屋根パネルを高い防水性能を確保したまま簡単に繋ぐことが可能な屋根パネルの接続構造を提供する。【解決手段】屋根パネル１０Ａ，１０Ｂを流下方向に接続させる際の屋根パネルの接続構造である。  そして、水上側の屋根パネルの野地板３２Ａの下端部から水下側に張り出された位置に垂下縁３４１を有する水上側受材３４と、水上側防水シート３３Ａと、その上方を覆う水上側屋根ふき材４Ａと、水下側の屋根パネルの野地板３２Ｂの上端部に取り付けられる立壁縁３５１を有する水下側受材３５と、水下側防水シート３３Ｂと、その上方を覆う水下側屋根ふき材４Ｂとを備えている。さらに、水下側受材の上方に水上側受材が配置されるとともに、垂下縁は立壁縁よりも水下側に離れた位置に配置される。【選択図】図１
2015121068.tif 000002
【特許請求の範囲】
【請求項１】
下地板の上に敷設される防水シートとその上方を覆う屋根ふき材とを有する屋根パネルを流下方向に接続させる際の屋根パネルの接続構造であって、
水上側の屋根パネルの水上側下地板の下端部から水下側に張り出された位置に垂下縁を有する水上側受材と、
前記水上側下地板及び水上側受材の表面に敷設される水上側防水シートと、
前記水上側防水シートの上方を覆う水上側屋根ふき材と、
水下側の屋根パネルの水下側下地板の上端部に取り付けられる立壁縁を有する水下側受材と、
前記水下側下地板及び水下側受材の表面に敷設される水下側防水シートと、
前記水下側防水シートの上方を覆う水下側屋根ふき材とを備え、
前記水下側受材の上方に前記水上側受材が配置されるとともに、前記垂下縁は前記立壁縁よりも水下側に離れた位置に配置されることを特徴とする屋根パネルの接続構造。
【請求項２】
前記水上側屋根ふき材は、前記垂下縁よりも水下側に離れた位置まで張り出される庇部を有し、前記水下側屋根ふき材は、前記垂下縁よりも水下側に離れた位置で前記庇部を下方から受ける支持部を有することを特徴とする請求項１に記載の屋根パネルの接続構造。
【請求項３】
前記水下側屋根ふき材の支持部は、前記庇部と略平行となるように水下側に張り出される台座を有することを特徴とする請求項２に記載の屋根パネルの接続構造。
【請求項４】
前記屋根パネルは、側縁を形成するために略平行に配置される一対の屋根フレームを備え、前記下地板は前記一対の屋根フレームに両側縁が支持されることを特徴とする請求項１乃至３のいずれか一項に記載の屋根パネルの接続構造。
【請求項５】
前記水上側屋根ふき材又は水下側屋根ふき材の上方を跨ぐように前記屋根フレームに固定される遮蔽板状部材を備え、前記水上側屋根ふき材又は水下側屋根ふき材の上面は前記遮蔽板状部材の下面から離隔していることを特徴とする請求項４に記載の屋根パネルの接続構造。
【請求項６】
前記屋根フレームの上面に、前記屋根フレーム間を連続して塞ぐ面状の前記水上側屋根ふき材又は水下側屋根ふき材の上縁部が重ねられることを特徴とする請求項４又は５に記載の屋根パネルの接続構造。
【請求項７】
請求項１乃至６のいずれか一項に記載の屋根パネルの接続構造を備えた建物の屋根構造であって、前記屋根パネルを水平方向に延びる梁材の上に設置することによって構築されることを特徴とする建物の屋根構造。
【発明の詳細な説明】
【技術分野】
【０００１】
本発明は、屋根パネルを並べて建物の屋根を構築する際の屋根パネルの接続構造、及びその屋根パネルの接続構造を備えた建物の屋根構造に関するものである。
【背景技術】
【０００２】
パネル状に形成された屋根ふき材を並べていくことによって、建物の屋根を構築する方法が知られている。しかしながら屋根は面積が広いため、複数の屋根パネルを接続しなければ、屋根全体を覆うことはできない。また、雨水を流す流下方向に複数の屋根パネルを並べる場合、それらの接続部から漏水が起きないようにすることが求められる。
【０００３】
例えば特許文献１，２には、２枚の金属屋根板を繋ぐ際に、流下方向の水下側の金属屋根板の上端に水上側の金属屋根板の下端を上から重ねることで、流下する雨水の浸入を起こりにくくした接続構造が開示されている。さらに、下側に配置される水下側の金属屋根板の上端縁には、斜めに起立させた水返しが設けられている（特許文献１参照）。
【０００４】
また、特許文献３には、屋根ふき材となる金属板どうしの継手構造が開示されており、この文献の図７などに示されているように水下側に配置される金属板の後端部の上に水上側の金属板の先端部を重ねるとともに、嵌合突起部を嵌め合わせる構造となっている。さらに特許文献４にも、水上側の金属製屋根面材の前端に設けられた垂下板部を有する係合部と、水下側の金属製屋根面材の後端に設けられた係止部とを嵌め合わせる構造が開示されている。
【０００５】
そして、特許文献５には、水上側の屋根板の接続受け部を水下側の屋根板の上端口に挿し込むことで形成される金属製の屋根板の接続構造が開示されている。
【先行技術文献】
【特許文献】
【０００６】
【特許文献１】特開平７−１５８２１６号公報
【特許文献２】特開平７−１５８２１７号公報
【特許文献３】特開平８−１２０８４５号公報
【特許文献４】実開平１−６７２１６号公報
【特許文献５】実開平７−４０８５１号公報
【特許文献６】特開平７−３３１８１８号公報
【発明の概要】
【発明が解決しようとする課題】
【０００７】
しかしながら特許文献１−５には、屋根の最上面に配置される屋根ふき材(一次防水層)の接続構造しか開示されていない。ところが実際の屋根には、特許文献６に開示されているように、屋根ふき材の下面側にアスファルトルーフィングなどの防水シート（二次防水層）が敷設されて２重の防水構造が形成される。
【０００８】
このため、防水シートどうしを接続する場合は、高い防水性能が確保できるように接続しなければならない。そして、この接続作業は簡単に実施できることが望まれる。
【０００９】
そこで、本発明は、防水シートと屋根ふき材を有する屋根パネルを高い防水性能を確保したまま簡単に繋ぐことが可能な屋根パネルの接続構造、及びその屋根パネルの接続構造を備えた建物の屋根構造を提供することを目的としている。
【課題を解決するための手段】
【００１０】
前記目的を達成するために、本発明の屋根パネルの接続構造は、下地板の上に敷設される防水シートとその上方を覆う屋根ふき材とを有する屋根パネルを流下方向に接続させる際の屋根パネルの接続構造であって、水上側の屋根パネルの水上側下地板の下端部から水下側に張り出された位置に垂下縁を有する水上側受材と、前記水上側下地板及び水上側受材の表面に敷設される水上側防水シートと、前記水上側防水シートの上方を覆う水上側屋根ふき材と、水下側の屋根パネルの水下側下地板の上端部に取り付けられる立壁縁を有する水下側受材と、前記水下側下地板及び水下側受材の表面に敷設される水下側防水シートと、前記水下側防水シートの上方を覆う水下側屋根ふき材とを備え、前記水下側受材の上方に前記水上側受材が配置されるとともに、前記垂下縁は前記立壁縁よりも水下側に離れた位置に配置されることを特徴とする。
【００１１】
ここで、前記水上側屋根ふき材は、前記垂下縁よりも水下側に離れた位置まで張り出される庇部を有し、前記水下側屋根ふき材は、前記垂下縁よりも水下側に離れた位置で前記庇部を下方から受ける支持部を有する構成とすることができる。また、前記水下側屋根ふき材の支持部は、前記庇部と略平行となるように水下側に張り出される台座を有する構成とすることができる。
【００１２】
さらに、前記屋根パネルは、側縁を形成するために略平行に配置される一対の屋根フレームを備え、前記下地板は前記一対の屋根フレームに両側縁が支持される構成とすることができる。
【００１３】
また、前記水上側屋根ふき材又は水下側屋根ふき材の上方を跨ぐように前記屋根フレームに固定される遮蔽板状部材を備え、前記水上側屋根ふき材又は水下側屋根ふき材の上面は前記遮蔽板状部材の下面から離隔している構成とすることができる。さらに、前記屋根フレームの上面に、前記屋根フレーム間を連続して塞ぐ面状の前記水上側屋根ふき材又は水下側屋根ふき材の上縁部が重ねられる構成とすることができる。
【００１４】
また、本発明の建物の屋根構造は、上記いずれかの屋根パネルの接続構造を備えた建物の屋根構造であって、前記屋根パネルを水平方向に延びる梁材の上に設置することによって構築されることを特徴とする。
【発明の効果】
【００１５】
このように構成された本発明の屋根パネルの接続構造は、水上側防水シートの下端を受ける水上側受材に垂下縁が形成されるとともに、水下側防水シートの上端を受ける水下側受材に立壁縁が形成される。そして、垂下縁は立壁縁よりも水下側に離れた位置に配置される。
【００１６】
このため、屋根ふき材と防水シートとの間に水が浸入したとしても、水は立壁縁より下流側の水下側防水シート上に溜まるだけなので、下地板側に浸水することはなく高い防水性能が確保できる。また、水下側受材の上方に水上側受材を覆い被せるだけで防水シートどうしを繋ぎ合せる必要がないため、簡単に防水シートどうしの接続を行うことができる。
【００１７】
さらに、垂下縁よりも水下側に離れた位置まで張り出される庇部を有する水上側屋根ふき材と、垂下縁よりも水下側に離れた位置で庇部を下方から受ける支持部を有する水下側屋根ふき材とによる接続であれば、覆い被せるだけで簡単に水上側屋根ふき材と水下側屋根ふき材との接続を行うことができる。
【００１８】
特に、水下側屋根ふき材の支持部に庇部と略平行となるように水下側に張り出される台座が設けられていれば、庇部を安定して載せておくことができるので、接合作業を容易に実施することができる。
【００１９】
また、側縁を形成するために略平行に配置される一対の屋根フレームを備えた屋根パネルとし、それらの屋根フレームに下地板の両側縁を支持させることで、屋根ふき材を安定して支持させることができる。
【００２０】
さらに、屋根ふき材の上方を跨ぐように屋根フレームに固定される遮蔽板状部材（例えば太陽電池モジュール）を屋根ふき材の上面から離隔して配置することで、屋根が陸屋根のように平坦であっても高い排水性能を確保することができる。
【００２１】
また、屋根フレームの上面に面状の屋根ふき材の上縁部を重ねる構成とすることで、一対の屋根フレーム間が隙間なく屋根ふき材で覆われることになって、防水性能を高めることができる。
【００２２】
そして、上述したような屋根パネルを水平方向に延びる梁材の上に設置して屋根パネルの接続構造を設けるだけで、防水性能と排水性能に優れた陸屋根を構築することができる。
【図面の簡単な説明】
【００２３】
【図１】本発明の実施の形態の屋根パネルの接続構造の構成を示した断面図である。
【図２】屋根パネルが設置されたユニット建物の全体の概略構成を示した斜視図である。
【図３】屋根パネルの概略構成を示した分解斜視図である。
【図４】屋根パネルの野地板に水上側受材と水下側受材を取り付ける工程を説明する斜視図である。
【図５】屋根パネルの野地板上に防水シートを敷設する工程を説明する斜視図である。
【図６】屋根フレーム間を屋根ふき材で塞いだ状態を示した断面図である。
【図７】屋根パネルに吹上防止金具を取り付ける工程を説明する斜視図である。
【図８】建物ユニットの上に屋根パネルを設置する工程を説明する斜視図である。
【図９】水下側屋根パネルの上端に水上側屋根パネルの下端を重ねる工程を説明する斜視図である。
【図１０】水下側屋根パネルの上端に水上側屋根パネルの下端を重ねる工程を説明する断面図である。
【図１１】水下側屋根ふき材の上端に水下側屋根ふき材の下端を接合する工程を説明する斜視図である。
【図１２】屋根パネル間に縦カバーを取り付ける工程を説明する斜視図である。
【図１３】屋根パネルが設置された屋根構造の断面図である。
【発明を実施するための形態】
【００２４】
以下、本発明の実施の形態について図面を参照して説明する。図１は、本実施の形態の屋根パネル１０Ａ，１０Ｂの接続構造を説明するための断面図である。また、図２は、その屋根パネル１０Ａ，１０Ｂが設置された建物としてのユニット建物Ｈの概略構成を示した斜視図である。
【００２５】
このユニット建物Ｈは、図２，８に示すように複数の建物ユニットＨ１，・・・を隣接させて構築される住宅などの建物である。建物ユニットＨ１は、図８に示すように、隅角部に配置される４本の鋼製の柱Ｈ１１，・・・と、柱Ｈ１１，Ｈ１１の上端間及び下端間をそれぞれ繋ぐ鋼製の梁材（Ｈ１２，Ｈ１３など）とによって直方体状に形成される。また、この建物ユニットＨ１は、柱材と梁材とがすべて溶接によって剛接合される鉄骨ラーメン構造である。
【００２６】
柱Ｈ１１，Ｈ１１の上端間に架け渡される水平方向に延びる梁材は、下階では天井梁であり、最上階では屋根梁となる。ここで、長辺側（桁側）の屋根梁を桁屋根梁Ｈ１２とし、短辺側の屋根梁を妻屋根梁Ｈ１３とする。
【００２７】
また、このユニット建物Ｈには、図２に示すように、２階の隅角部にバルコニーユニットＨ２が設置される。このバルコニーユニットＨ２によって、２階の隣接する建物ユニットＨ１から出入りができるテラスバルコニーが形成される。
【００２８】
一方、図３は、屋根パネル１０の概略構成を説明するための分解斜視図である。この屋根パネル１０を使って、水上側に配置される屋根パネル１０Ａと水下側に配置される屋根パネル１０Ｂの共通部分の構成について説明する。
【００２９】
屋根パネル１０は、側縁を形成するために略平行に配置される一対の屋根フレーム２，２と、屋根フレーム２，２間を塞ぐように配置される屋根ふき材４（一次防水層）と、屋根ふき材４の下面側に配置される防水シート３３（二次防水層）と、屋根ふき材４の上方を跨ぐように屋根フレーム２，２に固定される遮蔽板状部材としての太陽電池モジュール１とを主に備えている。
【００３０】
また、一対の屋根フレーム２，２の内側面側には、ガイド部３が形成される。このガイド部３は、一対の屋根フレーム２，２にそれぞれ固定される支持材３１，３１と、それらの支持材３１，３１に両側縁を支持させる下地板としての野地板３２とを有している。この野地板３２の上に防水シート３３が敷設される。
【００３１】
屋根フレーム２は、図６に示すように、幅の広い下フランジ２１と、それよりも幅が狭い上フランジ２３と、平行に配置された下フランジ２１と上フランジ２３との側縁間を繋ぐウェブ２２とによって、断面視略Ｃ字形又はコ字形に形成される。
【００３２】
そして、この屋根フレーム２のウェブ２２の内側面に沿って、木桟などを支持材３１として取り付ける。この支持材３１は、屋根ふき材４の上面に形成される(排水)勾配に合わせて取り付けられる。この支持材３１は、図１３に示すように、屋根フレーム２の外側面側から打ち込まれた木ねじ３１ａによってウェブ２２に接合される。
【００３３】
こうして屋根フレーム２，２の内側面側にそれぞれ取り付けられた支持材３１，３１の上には、図６に示すように野地板３２の両側縁を載せる。野地板３２は、一定の厚さに成形されているので、支持材３１，３１の勾配と同じ勾配の上面が形成されることになる。
【００３４】
この野地板３２は、釘３１ｂによって支持材３１に接合させる。また、野地板３２の上面は、ポリエチレンルーフィングなどの防水シート３３で覆う。この防水シート３３は、二次防水層を形成する部材で、屋根フレーム２の内側面にかかる位置まで敷設されて、野地板３２の全面が防水シート３３によって覆われるようにする。
【００３５】
そして、この防水シート３３の上から屋根ふき材４を設置する。この屋根ふき材４は、例えば防水性能及び耐食性能に優れた溶融アルミニウムめっき鋼板などによって形成される。
【００３６】
屋根ふき材４は、野地板３２の上に重ねる長方形の平板状の平板部４０と、平板部４０の両側縁からほぼ垂直に立ち上げられる立壁部４１，４１と、立壁部４１，４１の上端からほぼ直角に外側に向けて張り出される上縁部４２，４２とが、一枚の板材を折り曲げ加工することによって形成される。
【００３７】
この屋根ふき材４は、一次防水層とも呼ばれるもので、図３に示すように、上面となる平板部４０に屋根フレーム２の長手方向（流下方向）に向けた勾配が形成される。すなわち、側面視略台形状の立壁部４１の高さは屋根フレーム２の長手方向の位置によって異なっており、それに繋がる平板部４０には勾配が形成されたことになる。この屋根ふき材４の平板部４０に形成される勾配は、支持材３１の取り付け勾配と一致している。
【００３８】
屋根ふき材４は、図６に示すように、上縁部４２を屋根フレーム２の上フランジ２３に載せて、ドリルねじ２４をねじ込んで上縁部４２及び上フランジ２３を貫通させることによって接合される。
【００３９】
このようにして防水性能が高い屋根ふき材４によって塞がれた屋根フレーム２，２間には、太陽電池モジュール１が配置される。太陽電池モジュール１の両側縁には、図３，７，１３に示すように、屋根フレーム２，２に固定させるための受け金具１１Ａ，１１Ｂが締結具１２によって取り付けられている。
【００４０】
この受け金具１１Ａ，１１Ｂは、屋根フレーム２に対して太陽電池モジュール１を傾斜させて取り付ける場合は長さ（高さ）を変える。ここでは、受け金具１１Ａの方を短くし、受け金具１１Ｂの方を長くしている。なお、太陽電池モジュール１を屋根フレーム２の上面に対して平行に取り付ける場合は、受け金具１１Ａ，１１Ｂの長さ（高さ）を同じにする。
【００４１】
太陽電池モジュール１は、図７に示すように、受け金具１１Ａ，１１Ｂに通したドリルねじ１３を屋根フレーム２の上フランジに２３にねじ込むことによって固定される。このようにして取り付けられた太陽電池モジュール１の下面は、図１３に示すように屋根ふき材４の上面からは離隔している。すなわち、屋根ふき材４の上面と太陽電池モジュール１の下面との間には、雨水などを流下させることが可能となる隙間が存在する。
【００４２】
図７は、太陽電池モジュール１が組み付けられた屋根パネル１０を示した斜視図である。この屋根パネル１０の一方の屋根フレーム２の外側面には、吹上防止金具２５が取り付けられる。
【００４３】
吹上防止金具２５は、接合片２５１と突出片２５２とによって側面視略逆Ｌ字状に形成された金具で、軒先に近い位置のウェブ２２に接合片２５１がドリルねじ２４によって接合される。
【００４４】
以上で説明した屋根パネル１０の構成が、水上側屋根パネル１０Ａと水下側屋根パネル１０Ｂとの間で共通する構成となる。続いて、水上側屋根パネル１０Ａ又は水下側屋根パネル１０Ｂの特有の構成について説明する。
【００４５】
図４に示すように、水上側屋根パネル１０Ａの水上側野地板３２Ａには、下端部３２２に水上側受材３４を取り付け、上端部３２１に水上側上端材３７を取り付ける。水上側受材３４及び水上側上端材３７は、タッピンねじ３６，・・・によって水上側野地板３２Ａに固定される。
【００４６】
水上側受材３４は、野地板３２Ａの幅（屋根フレーム２，２間の距離）と略同じ長さの断面視略Ｌ字形の長尺部材で、ポリエチレン（ＰＥ）などの合成樹脂によって成形される。
【００４７】
この水上側受材３４は、図１０に示すように野地板３２Ａの下端部３２２から水下側に張り出された位置に、野地板３２Ａ表面に対して略直角下方に突出する垂下縁３４１を有している。そして、図５に示すように、垂下縁３４１まで覆われるように水上側防水シート３３Ａが敷設される。
【００４８】
ここで、水上側防水シート３３Ａは、まず水上側野地板３２Ａの中央に合わせて引き出され、左右の折り畳まれた部分を広げることで敷設される。また、防水シート３３Ａは、止水テープ（図示省略）によって屋根フレーム２のウェブ２２の内側面などに固定される。
【００４９】
一方、水上側上端材３７も、野地板３２Ａの幅と略同じ長さの断面視略へ字形の長尺部材で、合成樹脂によって成形される。すなわち図４に示すように、水上側上端材３７には、野地板３２Ａの上端部３２１から上流側へ張り出される下り勾配の傾斜面が形成される。そして水上側防水シート３３Ａの上端は、水上側上端材３７の傾斜面に至る位置まで敷設される。
【００５０】
これに対して水下側屋根パネル１０Ｂの水下側野地板３２Ｂには、上端部３２１に水下側受材３５を取り付け、下端部３２２に水下側下端材３８を取り付ける。
【００５１】
水下側受材３５は、野地板３２Ｂの幅と略同じ長さの断面視略Ｌ字形の長尺部材で、合成樹脂によって成形される。この水下側受材３５は、図１０に示すように野地板３２Ｂの上端部３２１上に、野地板３２Ｂ表面に対して略直角上方に突出する立壁縁３５１を有している。そして、この立壁縁３５１の水下側側面まで覆われるように水下側防水シート３３Ｂが敷設される。
【００５２】
一方、図４に示すように水下側下端材３８も、野地板３２Ｂの幅と略同じ長さの断面視略Ｌ字形の長尺部材で、合成樹脂によって成形される。また、水下側防水シート３３Ｂの下端は、水下側下端材３８を覆う位置まで敷設される。
【００５３】
このようにして敷設された防水シート３３Ａ，３３Ｂの上方を覆う屋根ふき材４Ａ，４Ｂにも、接続部１０１周辺に特有の構成が設けられる。図１０に示すように、水上側屋根パネル１０Ａの水上側屋根ふき材４Ａには、水上側受材３４の垂下縁３４１よりも水下側に離れた位置まで張り出される庇部４３が設けられる。
【００５４】
また、庇部４３の先端縁には、下方に向けて突出する垂下縁４３１が設けられる。要するに水上側屋根パネル１０Ａには、野地板３２Ａの下端部３２２から水下側に向けて間隔を置いて、略平行に２つの垂下縁３４１，４３１が形成される。
【００５５】
一方、水下側屋根パネル１０Ｂの水下側屋根ふき材４Ｂには、水下側受材３５の立壁縁３５１よりも水下側に離れた位置に支持部４４が設けられる。この支持部４４は、断面視略逆Ｌ字形に成形され、上面が庇部４３と略平行な台座４４１となる。
【００５６】
そして、この支持部４４の上に水上側屋根パネル１０Ａの庇部４３が載せられる。この際、支持部４４は、水上側受材３４の垂下縁３４１よりも水下側に離れた位置で、垂下縁３４１，４３１間に配置されることになる。
【００５７】
この水下側屋根ふき材４Ｂの支持部４４と水上側屋根ふき材４Ａの庇部４３とは、図１１に示すようにリベット４５，・・・によって接合される。なお、リベット４５，・・・を打ち込む位置には、予めリベット穴４５ａが穿孔されており、接合後にはコーキング材４６による止水処理が行われる。
【００５８】
以上のようにして工場などで製作された屋根パネル１０Ａ，１０Ｂは、建築現場まで搬送されて、クレーンで吊り上げられて建物ユニットＨ１，・・・の上に並べて設置される。
【００５９】
以下では、図８−１３を参照しながら、複数の屋根パネル１０Ａ，１０Ｂを並べて構築されるユニット建物Ｈの屋根構造について説明する。なお、水上側又は水下側のいずれの屋根パネル１０Ａ，１０Ｂにも共通する工程については、屋根パネル１０の符号を使って説明する場合もある。
【００６０】
まず、図８に示すように、屋根パネル１０を一枚ずつ建物ユニットＨ１，・・・の上に並べていく。屋根パネル１０は、複数の建物ユニットＨ１，・・・に跨って設置される。この屋根パネル１０の長さと架け渡す建物ユニットＨ１，・・・の数との関係は、任意に設定することができる。
【００６１】
ここで、屋根フレーム２の下フランジ２１には、連結穴が桁屋根梁Ｈ１２，・・・の間隔に合わせて穿孔されている。そこで、その連結穴にボルト２１ｂを通し、桁屋根梁Ｈ１２に設けられた穴Ｈ１２１に貫通させて、ナット２１ｃを装着する。
【００６２】
図１０に示されているように、下フランジ２１の上下には補強プレート２１ｅとスペーサ２１ｄとを介在させる。そしてボルト２１ｂを、補強プレート２１ｅ、下フランジ２１、スペーサ２１ｄ及び桁屋根梁Ｈ１２のフランジに貫通させて下方に突出させ、ナット２１ｃによって締結する。
【００６３】
一方、桁屋根梁Ｈ１２に固定されない側の屋根フレーム２の外側面に取り付けられた吹上防止金具２５は、図１３に示すように隣接して設置された屋根パネル１０の上フランジ２３の上に突出片２５２が載せられる。この突出片２５２が上フランジ２３に載せられる側の屋根フレーム２は、桁屋根梁Ｈ１２にボルト２１ｂによって固定されている。
【００６４】
そして、上方から突出片２５２にねじ込まれるドリルねじ２５ａが、屋根ふき材４の上縁部４２を貫通して上フランジ２３に接合される。この結果、桁屋根梁Ｈ１２に固定されていない屋根フレーム２のウェブ２２と、桁屋根梁Ｈ１２に固定された屋根フレーム２の上フランジ２３とが、吹上防止金具２５によって連結されることになる。
【００６５】
ここで本実施の形態では、図２に示すように流下方向に２種類の屋根パネル１０Ａ，１０Ｂを並べる。雨水の流下方向の水上側には屋根パネル１０Ａを設置し、水下側には屋根パネル１０Ｂを設置する。この水下側の屋根パネル１０Ｂは、軒先が庇状に張り出される。
【００６６】
まず、図９に示すように、水下側の屋根パネル１０Ｂが設置される。そして、水下側屋根パネル１０Ｂの後端に先端を重ねるように水上側屋根パネル１０Ａを設置する。
【００６７】
図１０は、図９の状態を断面図にした図である。この図に示すように、先に設置された屋根パネル１０Ｂの支持部４４の台座４４１の上に、庇部４３が載るように屋根パネル１０Ａを降ろす。なお、屋根パネル１０Ａは、下方に突出させたボルト２１ｂを桁屋根梁Ｈ１２の穴Ｈ１２１に合わせて挿し込むことによって、正確な位置に誘導される。
【００６８】
このようにして端部が上下に重ねられた屋根ふき材４Ａ，４Ｂは、図１１に示すようにリベット穴４５ａ，・・・にリベット４５，・・・を打ち込むことによって接合される。また、リベット４５の頭部には、コーキング材４６を塗布する。
【００６９】
このようにして水上側の屋根パネル１０Ａと水下側の屋根パネル１０Ｂとの接続構造となる接続部１０１が構築される。一方、図１２に示すように、流下方向に略直交する方向に並べられる屋根パネル１０Ｂ，１０Ｂ（１０Ａ，１０Ａ）間の隙間は、カバー材としての縦カバー５によって覆う。この断面視門形の長尺状の縦カバー５は、端部に打ち込まれるドリルねじ５１によって屋根フレーム２の上フランジ２３に固定される。
【００７０】
なお、屋根フレーム２の上フランジ２３は、図１３に示すように止水テープ５２で覆われる。そして、その上から断面視門形の長尺状の縦カバー５が被せられる。
【００７１】
以上のようにして複数の屋根パネル１０Ａ，１０Ｂを設置することによって、陸屋根の全面が屋根パネル１０Ａ，１０Ｂで覆われたユニット建物Ｈの外観が図２の斜視図となる。
【００７２】
次に、本実施の形態の屋根パネル１０Ａ，１０Ｂの接続部１０１、及び屋根パネル１０Ａ，１０Ｂを設置して構築される接続部１０１を備えたユニット建物Ｈの屋根構造の作用について説明する。
【００７３】
このように構成された本実施の形態の屋根パネル１０Ａ，１０Ｂの接続部１０１は、図１に示すように水上側防水シート３３Ａの下端を受ける水上側受材３４に垂下縁３４１が形成されるとともに、水下側防水シート３３Ｂの上端を受ける水下側受材３５に立壁縁３５１が形成される。そして、垂下縁３４１は立壁縁３５１よりも水下側に離れた位置に配置される。
【００７４】
平均的な量の雨による水Ｗは、水上側屋根ふき材４Ａの上面を流下して、垂下縁４３１を伝って水下側屋根ふき材４Ｂの上に落ち、そのまま流下して軒樋から排水される。
【００７５】
また、水下側屋根ふき材４Ｂの支持部４４を構成する上方に突出した壁状部分によって水Ｗの水上側への流れが遮られるうえに、その壁状部分の上端から水下側に台座４４１が張り出されているので、通常の雨などでは支持部４４の台座４４１と庇部４３との間を水Ｗが通り抜けることはできない。
【００７６】
他方、豪雨時や強風時若しくは屋根ふき材４Ａの裏面に結露が発生した場合、又は台座４４１と庇部４３との隙間が大きくなった場合に、支持部４４と立壁縁３５１との間の防水シート３３Ｂ上に水Ｗが浸入することがある。
【００７７】
このように屋根ふき材４Ａ，４Ｂの裏側に水Ｗが浸入しても、立壁縁３５１が堤防となってそれ以上の水上側への流れ出しが阻止される。また、屋根ふき材４Ａの裏面と防水シート３３Ａの上面との間に水Ｗが入り込んでも、垂下縁３４１に沿って立壁縁３５１より水下側の防水シート３３Ｂ上に落ちることになる。
【００７８】
そして、支持部４４と立壁縁３５１との間に溜まった水Ｗは、屋根パネル１０Ｂの左右両側（図１の紙面直交方向）に流れて、図６，１３に示した排水路Ｒ，Ｒを通って軒樋に排水される。
【００７９】
この排水路Ｒは、屋根フレーム２のウェブ２２まで立ち上げられた防水シート３３と屋根ふき材４の立壁部４１とによって囲まれているため、防水性能は確保されている。
【００８０】
このように、屋根ふき材４Ａ，４Ｂと防水シート３３Ａ，３３Ｂとの間に水Ｗが浸入したとしても、立壁縁３５１とそれより下流側の支持部４４との間の水下側防水シート３３Ｂ上に溜まって速やかに排水路Ｒ，Ｒから排水されるので、野地板３２Ａの下端部３２２と野地板３２Ｂの上端部３２１との隙間から内側（桁屋根梁Ｈ１２側）に漏水することはなく、高い防水性能が確保できる。特に、支持部４４と立壁縁３５１との間隔が広ければ、一時的に滞留させることができる水Ｗの量が多くなるので、排水路Ｒ，Ｒや軒樋の排水が滞ったとしても防水性能を維持できる時間を延ばすことが可能になる。
【００８１】
また、屋根パネル１０Ｂの上から屋根パネル１０Ａを端部どうしが重なるように配置するだけで、水下側受材３５の上方に水上側受材３４が覆い被さって簡単に防水シート３３Ａ，３３Ｂどうしの接続を行うことができる。すなわち、防水シート３３Ａ，３３Ｂどうしを繋ぎ合せる必要がなく、垂下縁３４１を覆う防水シート３３Ａの下端と立壁縁３５１を覆う防水シート３３Ｂの上端とは離隔させておけばよいため、接続作業の手間を大幅に低減することができる。
【００８２】
さらに、水上側受材３４の垂下縁３４１よりも水下側に離れた位置まで張り出される庇部４３を有する水上側屋根ふき材４Ａと、垂下縁３４１よりも水下側に離れた位置で庇部４３を下方から受ける支持部４４を有する水下側屋根ふき材４Ｂとによる接続であれば、覆い被せるだけで簡単に水上側屋根ふき材４Ａと水下側屋根ふき材４Ｂとの接続を行うことができる。
【００８３】
特に、水下側屋根ふき材４Ｂの支持部４４に庇部４３と略平行となるように水下側に張り出される台座４４１が設けられていれば、庇部４３を台座４４１に安定して載せておくことができるので、リベット４５による接合作業を容易に実施することができる。
【００８４】
また、屋根パネル１０は、防水性能を有する屋根ふき材４に対して太陽電池モジュール１が離隔して配置されている。さらに、屋根ふき材４の上面となる平板部４０には、屋根フレーム２の長手方向に向けて勾配が形成されている。
【００８５】
このため、屋根が陸屋根のように平坦であっても、高い防水性能と排水性能を備えた屋根構造を、屋根パネル１０Ａ，１０Ｂを並べて固定するだけで容易に構築することができる。
【００８６】
すなわち、屋根ふき材４の上面と太陽電池モジュール１の下面とは離隔しているので、太陽電池モジュール１が流下阻害になって排水が滞ることを防ぐことができる。また、太陽電池モジュール１の周囲に水が溜まらないため、故障や漏電の発生を防ぐことができる。
【００８７】
そして、屋根フレーム２のウェブ２２の内側面側に、所望する勾配に合わせたガイド部３を設けておくことで、その上に載せる屋根ふき材４の上面を所望する勾配に容易に形成することができる。
【００８８】
さらに、ガイド部３を、屋根フレーム２，２にそれぞれ固定される支持材３１，３１と、それらの支持材３１，３１に両側縁を支持させる野地板３２とによって構築すれば下地面が形成されることになる。下地面があれば、例えば板厚の薄い（剛性の低い）屋根ふき材４を使用しても、安定して支持させることができる。また、屋根ふき材が一枚板によって形成されていなくても、野地板３２の上で繋ぎ合わせていけばよいので、どのような形態の屋根ふき材であっても使用することができる。
【００８９】
さらに、屋根フレーム２の上面となる上フランジ２３に、面状に連続する一体の屋根ふき材４の上縁部４２を重ねる構成とすることで、一対の屋根フレーム２，２間が隙間なく屋根ふき材４で覆われることになって、防水性能を高めることができる。
【００９０】
そして、上述したような屋根パネル１０Ａ，１０Ｂを、水平方向に延びる屋根梁（Ｈ１２，Ｈ１３）の上に設置するだけで、防水性能と排水性能に優れた陸屋根を構築することができる。
【００９１】
また、流下方向に略直交する方向に隣接して配置される２つ屋根パネル１０Ａ，１０Ａ（１０Ｂ，１０Ｂ）の一方の屋根フレーム２の外側面となるウェブ２２と、他方の屋根フレーム２の上面となる上フランジ２３とを吹上防止金具２５によって連結させることで、下方から吹き上げる風の力に対しても確実に対抗させることができる。
【００９２】
さらに、流下方向に略直交する方向に隣接して配置される２つの屋根パネル１０Ａ，１０Ａ（１０Ｂ，１０Ｂ）の屋根フレーム２，２の上フランジ２３，２３間を縦カバー５によって覆うだけで、隣接する屋根パネル１０Ａ，１０Ａ（１０Ｂ，１０Ｂ）間の防水処理を容易に行うことができる。
【００９３】
以上、図面を参照して、本発明の実施の形態を詳述してきたが、具体的な構成は、この実施の形態に限らず、本発明の要旨を逸脱しない程度の設計的変更は、本発明に含まれる。
【００９４】
例えば、前記実施の形態では、建物としてユニット建物Ｈを例に説明したが、これに限定されるものではなく、在来工法などによって構築される建物にも屋根パネル１０Ａ，１０Ｂを設置して接続構造及び屋根構造を構築することができる。
【００９５】
また、前記実施の形態では、複数枚の屋根パネル１０Ａ，１０Ｂを並べることによって平坦な陸屋根を構築する場合について説明したが，これに限定されるものではなく、傾斜屋根にも本実施の形態の屋根パネル１０Ａ，１０Ｂの接続構造を設けることができる。
【００９６】
さらに、前記実施の形態では、屋根ふき材４Ａの庇部４３と屋根ふき材４Ｂの支持部４４とを接合させる構成について説明したが、これに限定されるものではなく、別の形態の屋根ふき材（一次防水層）を使用することもできる。
【００９７】
また、前記実施の形態では、支持材３１，３１と野地板３２とによって構成されるガイド部３を設ける場合について説明したが、これに限定されるものではなく、野地板３２の両側縁を直接屋根フレーム２，２に接合させてもよい。
【００９８】
そして、前記実施の形態では、遮蔽板状部材として太陽電池モジュール１を使って説明したが、これに限定されるものではない。例えば、雪の多い地域では、遮蔽板状部材として積雪用の遮蔽板を使用することができる。この遮蔽板を屋根パネルの上面に組み込むことによって、屋根フレーム２に取り付けられる野地板３２に作用する積雪荷重を低減させることができる。
【００９９】
また、軒先などの雨水の吹き上げが起き易い箇所において、遮蔽板状部材としての遮蔽板を組み込むことができる。すなわち、屋根ふき材４の上方が遮蔽板で覆われていれば、屋根ふき材４上の雨水が吹き上がって隣接する屋根フレーム２，２間の隙間から漏れ落ちるのを未然に防ぐことができるので、屋根全体の防水性能が高められる。
【符号の説明】
【０１００】
Ｈ              ユニット建物（建物）
Ｈ１            建物ユニット
Ｈ１２          桁屋根梁（梁材）
Ｈ１３          妻屋根梁（梁材）
１              太陽電池モジュール（遮蔽板状部材）
１０，１０Ａ，１０Ｂ  屋根パネル
１０１          接続部（屋根パネルの接続構造）
２              屋根フレーム
３２，３２Ａ，３２Ｂ  野地板（下地板）
３３，３３Ａ，３３Ｂ  防水シート
３４            水上側受材
３４１          垂下縁
３５            水下側受材
３５１          立壁縁
４，４Ａ，４Ｂ  屋根ふき材
４３            庇部
４３１          垂下縁
４４            支持部
４４１          台座
４２            上縁部
【図１】
2015121068.tif 000003
【図２】
2015121068.tif 000004
【図３】
2015121068.tif 000005
【図４】
2015121068.tif 000006
【図５】
2015121068.tif 000007
【図６】
2015121068.tif 000008
【図７】
2015121068.tif 000009
【図８】
2015121068.tif 000010
【図９】
2015121068.tif 000011
【図１０】
2015121068.tif 000012
【図１１】
2015121068.tif 000013
【図１２】
2015121068.tif 000014
【図１３】
2015121068.tif 000015